(57)【特許請求の範囲】
【請求項１】
ステレオ音声出力機能を備える携帯端末であって、
自携帯端末の１つの表面であって、当該複数のスピーカ間で共通な表面からステレオ音声が出力されるように配設された複数のスピーカと、
重力による加速度ベクトルの前記表面への投影成分が、前記表面を放射状に分割した８つの領域のうちのどの領域に含まれるかを判定する判定手段と、
前記判定結果を基に、前記表面からステレオ音声の左チャンネルと右チャンネルとが、それぞれ、聴者の左耳と右耳に対応して出力されるように、前記複数のスピーカのそれぞれに対して、左チャンネルの音声を出力するのか、右チャンネルの音声を出力するのか、又は、音声を出力しないのかを制御する制御手段と、
を備え、
前記複数のスピーカの数は４であり、この４つのスピーカは、前記表面の前記８つの領域から１つおきに選択された４つの領域に対応するように配設されており、
前記制御手段は、前記判定結果を基に、１つのスピーカから左チャンネルの音声を出力し、他の１つのスピーカから右チャンネルの音声を出力し、残りの２つのスピーカから音声を出力しないような制御と、２つの相互に隣接したスピーカから左チャンネルの音声を出力し、残りの２つの相互に隣接したスピーカから右チャンネルの音声を出力するような制御とを切り替えることを特徴とする携帯端末。
【請求項２】
請求項１に記載の携帯端末であって、
前記８つの領域を第１乃至第８の領域とし、前記４つの領域を第１領域、第３領域、第５領域及び第７領域とし、前記４つのスピーカをＬスピーカ、Ｂスピーカ、Ｒスピーカ及びＴスピーカとし、前記Ｌスピーカが前記第１領域に含まれ、前記Ｂスピーカが前記第３領域に含まれ、前記Ｒスピーカが前記第５領域に含まれ、前記Ｔスピーカが前記第７領域に含まれるとみた場合において、前記制御手段は、
前記判定結果が前記第１領域であるならば、前記Ｔスピーカが左チャンネルの音声を出力し、前記Ｂスピーカが右チャンネルの音声を出力し、前記Ｌスピーカ及び前記Ｒスピーカが音声を出力しないように制御し、
前記判定結果が第２領域であるならば、前記Ｔスピーカ及び前記Ｌスピーカが左チャンネルの音声を出力し、前記Ｂスピーカ及び前記Ｒスピーカが右チャンネルの音声を出力するように制御し、
前記判定結果が前記第３領域であるならば、前記Ｌスピーカが左チャンネルの音声を出力し、前記Ｒスピーカが右チャンネルの音声を出力し、前記Ｂスピーカ及び前記Ｔスピーカが音声を出力しないように制御し、
前記判定結果が第４領域であるならば、前記Ｌスピーカ及び前記Ｂスピーカが左チャンネルの音声を出力し、前記Ｒスピーカ及び前記Ｔスピーカが右チャンネルの音声を出力するように制御し、
前記判定結果が前記第５領域であるならば、前記Ｂスピーカが左チャンネルの音声を出力し、前記Ｔスピーカが右チャンネルの音声を出力し、前記Ｌスピーカ及び前記Ｒスピーカが音声を出力しないように制御し、
前記判定結果が第６領域であるならば、前記Ｂスピーカ及び前記Ｒスピーカが左チャンネルの音声を出力し、前記Ｔスピーカ及び前記Ｌスピーカが右チャンネルの音声を出力するように制御し、
前記判定結果が前記第７領域であるならば、前記Ｒスピーカが左チャンネルの音声を出力し、前記Ｌスピーカが右チャンネルの音声を出力し、前記Ｂスピーカ及び前記Ｔスピーカが音声を出力しないように制御し、
前記判定結果が第８領域であるならば、前記Ｒスピーカ及び前記Ｔスピーカが左チャンネルの音声を出力し、前記Ｌスピーカ及び前記Ｂスピーカが右チャンネルの音声を出力するように制御することを特徴とする携帯端末。
【請求項３】
携帯端末からステレオ音声を出力するステレオ音声出力方法であって、
自携帯端末の１つの表面であって、当該複数のスピーカ間で共通な表面からステレオ音声が出力されるように複数のスピーカが配設されており、
判定手段が、重力による加速度ベクトルの前記表面への投影成分が、前記表面を放射状に分割した８つの領域のうちのどの領域に含まれるかを判定する判定ステップと、
制御手段が、前記判定結果を基に、前記表面からステレオ音声の左チャンネルと右チャンネルとが、それぞれ、聴者の左耳と右耳に対応して出力されるように、前記複数のスピーカのそれぞれに対して、左チャンネルの音声を出力するのか、右チャンネルの音声を出力するのか、又は、音声を出力しないのかを制御する制御ステップと、
を有することを特徴とするステレオ音声出力方法であって、
前記複数のスピーカの数は４であり、この４つのスピーカは、前記表面の前記８つの領域から１つおきに選択された４つの領域に対応するように配設されており、
前記制御ステップにおいて、前記判定結果を基に、１つのスピーカから左チャンネルの音声を出力し、他の１つのスピーカから右チャンネルの音声を出力し、残りの２つのスピーカから音声を出力しないような制御と、２つの相互に隣接したスピーカから左チャンネルの音声を出力し、残りの２つの相互に隣接したスピーカから右チャンネルの音声を出力するような制御とを切り替えることを特徴とするステレオ音声出力方法。
【請求項４】
ステレオ音声出力機能を備える携帯端末としてコンピュータを機能させるためのプログラムであって、
自携帯端末であるコンピュータの１つの表面であって、当該複数のスピーカ間で共通な表面からステレオ音声が出力されるように複数のスピーカが配設されており、
前記コンピュータを、
重力による加速度ベクトルの前記表面への投影成分が、前記表面を放射状に分割した８つの領域のうちのどの領域に含まれるかを判定する判定手段と、
前記判定結果を基に、前記表面からステレオ音声の左チャンネルと右チャンネルとが、それぞれ、聴者の左耳と右耳に対応して出力されるように、前記複数のスピーカのそれぞれに対して、左チャンネルの音声を出力するのか、右チャンネルの音声を出力するのか、又は、音声を出力しないのかを制御する制御手段と、
として機能させるためのプログラムであって、
前記複数のスピーカの数は４であり、この４つのスピーカは、前記表面の前記８つの領域から１つおきに選択された４つの領域に対応するように配設されており、
前記制御手段は、前記判定結果を基に、１つのスピーカから左チャンネルの音声を出力し、他の１つのスピーカから右チャンネルの音声を出力し、残りの２つのスピーカから音声を出力しないような制御と、２つの相互に隣接したスピーカから左チャンネルの音声を出力し、残りの２つの相互に隣接したスピーカから右チャンネルの音声を出力するような制御とを切り替えることを特徴とするプログラム。
【発明の詳細な説明】
【技術分野】
【０００１】
本発明は、ステレオスピーカのそれぞれから出力するＬチャンネル、Ｒチャンネルを決定することを特徴とした携帯電話機、ステレオ音声を再生するスピーカを選択する方法及びそのプログラムに関する。
【背景技術】
【０００２】
近年、音響効果に特化する等、音響にこだわる携帯電話機が発売されている。その中で、スピーカサイズを大きくとるものや、ステレオ効果を得るためにステレオスピーカの距離をとるものが出てきている。
【０００３】
図１に、ステレオ効果を得るためにステレオスピーカの距離をとった携帯電話機の例を示す。
【０００４】
図１の携帯電話機では、ＬＣＤ（Liquid Crystal Display）等である表示領域を上下にはさむように２つのスピーカが配置され、スピーカ間の距離を開けることで、ステレオ効果を強く受けることができる。
【０００５】
図１の携帯電話機が、何らかのギミックで表示部分を横にした場合、又は使用者が端末を横にした場合、ステレオスピーカの左右の配置が重力方向と垂直になり、最適なスピーカ出力が得られるようになっている。
【０００６】
しかし、図１のような携帯電話機の場合、従来では、音楽データのＬ（左）チャンネル出力／Ｒ（右）チャンネルを出力するスピーカが決まっていた。例えば、使用者が右手で装置を持っている場合（右ききの場合）、装置を左側に倒すことにより、スピーカから出力される音楽データのＬ／Ｒチャンネルが、使用者の耳のＬ／Ｒと一致し、最適なスピーカ出力が得られる（図２）。
【０００７】
しかし、使用者が左手で装置を持っている場合（左ききの場合）、装置を右側に倒すことにより、スピーカから出力される音楽データのＬ／Ｒチャンネルが、使用者の耳のＬ／Ｒと一致せず、使用者から見てＬ／Ｒが逆となるため、最適なスピーカ出力が得られなくなる（図３）。
【０００８】
又、手に持たずに聞く場合は、装置が小型化し携帯できる程度の大きさであるため、どちら側に倒した状態でも最適なスピーカ出力が得られるようにすることが望まれる。
【０００９】
そのため、特許文献１乃至３には、傾きセンサを利用して携帯電話の置き方を判断して、ステレオ音声の再生に最適なスピーカを選択する発明が開示されている。
【先行技術文献】
【特許文献】
【００１０】
【特許文献１】特開２００３−０７８６０１号公報
【特許文献２】特開２００６−１７４０７４号公報
【特許文献３】特開２００６−１７４２７７号公報
【発明の概要】
【発明が解決しようとする課題】
【００１１】
しかしながら、特許文献１乃至３に開示されている発明は、傾きセンサで携帯電話の置き方や状態を把握しているものの、この傾きセンサが具体的にどのようなものであるのかが明確でない。
【００１２】
本発明は上記に鑑みてなされたもので、携帯電話機が所定の状態で置かれなくても、スピーカから再生される音声の左右のチャンネルが適切となるような携帯電話機、ステレオ音声を再生するスピーカを選択する方法及びそのプログラムを提供することを目的とする。
【課題を解決するための手段】
【００１３】
上述の問題を解決するため、本発明に係る携帯電話機は、ステレオ音声出力機能を備える携帯端末であって、自携帯端末の１つの表面であって、当該複数のスピーカ間で共通な表面からステレオ音声が出力されるように配設された複数のスピーカと、重力による加速度ベクトルの前記表面への投影成分が、前記表面を放射状に分割した８つの領域のうちのどの領域に含まれるかを判定する判定手段と、前記判定結果を基に、前記表面からステレオ音声の左チャンネルと右チャンネルとが、それぞれ、聴者の左耳と右耳に対応して出力されるように、前記複数のスピーカのそれぞれに対して、左チャンネルの音声を出力するのか、右チャンネルの音声を出力するのか、又は、音声を出力しないのかを制御する制御手段と、を備え、前記複数のスピーカの数は４であり、この４つのスピーカは、前記表面の前記８つの領域から１つおきに選択された４つの領域に対応するように配設されており、前記制御手段は、前記判定結果を基に、１つのスピーカから左チャンネルの音声を出力し、他の１つのスピーカから右チャンネルの音声を出力し、残りの２つのスピーカから音声を出力しないような制御と、２つの相互に隣接したスピーカから左チャンネルの音声を出力し、残りの２つの相互に隣接したスピーカから右チャンネルの音声を出力するような制御とを切り替えることを特徴とする。
【００１４】
上述の問題を解決するため、本発明に係るステレオ音声を再生するスピーカを選択する方法は、携帯端末からステレオ音声を出力するステレオ音声出力方法であって、自携帯端末の１つの表面であって、当該複数のスピーカ間で共通な表面からステレオ音声が出力されるように複数のスピーカが配設されており、判定手段が、重力による加速度ベクトルの前記表面への投影成分が、前記表面を放射状に分割した８つの領域のうちのどの領域に含まれるかを判定する判定ステップと、制御手段が、前記判定結果を基に、前記表面からステレオ音声の左チャンネルと右チャンネルとが、それぞれ、聴者の左耳と右耳に対応して出力されるように、前記複数のスピーカのそれぞれに対して、左チャンネルの音声を出力するのか、右チャンネルの音声を出力するのか、又は、音声を出力しないのかを制御する制御ステップと、を有することを特徴とするステレオ音声出力方法であって、前記複数のスピーカの数は４であり、この４つのスピーカは、前記表面の前記８つの領域から１つおきに選択された４つの領域に対応するように配設されており、前記制御ステップにおいて、前記判定結果を基に、１つのスピーカから左チャンネルの音声を出力し、他の１つのスピーカから右チャンネルの音声を出力し、残りの２つのスピーカから音声を出力しないような制御と、２つの相互に隣接したスピーカから左チャンネルの音声を出力し、残りの２つの相互に隣接したスピーカから右チャンネルの音声を出力するような制御とを切り替えることを特徴とする。
【００１５】
上述の問題を解決するため、本発明に係るステレオ音声を再生するスピーカを選択するプログラムは、ステレオ音声出力機能を備える携帯端末としてコンピュータを機能させるためのプログラムであって、自携帯端末であるコンピュータの１つの表面であって、当該複数のスピーカ間で共通な表面からステレオ音声が出力されるように複数のスピーカが配設されており、前記コンピュータを、重力による加速度ベクトルの前記表面への投影成分が、前記表面を放射状に分割した８つの領域のうちのどの領域に含まれるかを判定する判定手段と、前記判定結果を基に、前記表面からステレオ音声の左チャンネルと右チャンネルとが、それぞれ、聴者の左耳と右耳に対応して出力されるように、前記複数のスピーカのそれぞれに対して、左チャンネルの音声を出力するのか、右チャンネルの音声を出力するのか、又は、音声を出力しないのかを制御する制御手段と、として機能させるためのプログラムであって、前記複数のスピーカの数は４であり、この４つのスピーカは、前記表面の前記８つの領域から１つおきに選択された４つの領域に対応するように配設されており、前記制御手段は、前記判定結果を基に、１つのスピーカから左チャンネルの音声を出力し、他の１つのスピーカから右チャンネルの音声を出力し、残りの２つのスピーカから音声を出力しないような制御と、２つの相互に隣接したスピーカから左チャンネルの音声を出力し、残りの２つの相互に隣接したスピーカから右チャンネルの音声を出力するような制御とを切り替えることを特徴とする。
【発明の効果】
【００１６】
本発明によれば、重力方向によって、自動的にＬチャンネル／Ｒチャンネルが切り替わるため、携帯電話機が所定の状態で置かれなくても、スピーカから再生される音声の左右のチャンネルが適切となるような携帯電話機、ステレオ音声を再生するスピーカを選択する方法及びそのプログラムを提供することができる。
【図面の簡単な説明】
【００１７】
【図１】ステレオスピーカを備えた関連技術に関する携帯電話機の一例を示す図である。
【図２】ステレオスピーカを備えた関連技術に関する携帯電話機の適切な動作状態を示す図である。
【図３】ステレオスピーカを備えた関連技術に関する携帯電話機の動作が適切でない状態を示す図である。
【図４】本発明に係る携帯電話機の動作の概略を示した図である。
【図５】本発明の第１の実施の形態に係る携帯電話機の構成図である。
【図６】本発明の第１の実施の形態に係る携帯電話機の外観の構成図である。
【図７】本発明の第１の実施の形態に係る携帯電話機の動作のタイムフローチャートである。
【図８】本発明の第１の実施の形態に係る携帯電話機と重力方向との関係を示す図である。
【図９】本発明の第２の実施の形態に係る携帯電話機の外観の構成図である。
【図１０】本発明の第３の実施の形態に係る携帯電話機の外観の構成図である。
【図１１】本発明の第３の実施の形態に係る携帯電話機と重力方向との関係を示す図である。
【発明を実施するための形態】
【００１８】
図１のような関連技術の場合、スピーカのＬチャンネル出力、Ｒチャンネル出力を固定しているために、最適なスピーカ出力を得られない場合が生じ得る。
【００１９】
そこで、本発明では、スピーカのＬチャンネル出力、Ｒチャンネル出力を固定せず、加速度センサで検出した重力方向の情報と、スピーカの前面方向の位置関係（図１では、表示領域が見える側）により、スピーカのＬチャンネル、Ｒチャンネル出力を決定する。
【００２０】
図４は、本発明に係る携帯電話機の動作の概略を示した図である。この図４は、携帯電話機が二つのスピーカを有する場合に、右に倒しても左に倒しても、向かって右側をＲチャンネル出力、向かって左側をＬチャンネル出力とすることができるということを示している。これらの動作により、使用者は最適なスピーカ出力を得ることができるというものである。
【００２１】
［第１の実施の形態］
以下、図面を使用して本発明の第１の実施の形態に係る携帯電話機について詳細に説明する。ここで、図５は、本発明の第１の実施の形態に係る携帯電話機００１の構成図である。携帯電話機００１は、以下を備える。
【００２２】
ＣＰＵ（Central Processing Unit）１０１は、携帯電話機００１全体の制御を行う処理装置である。ＣＰＵ１０１は、バス１１０を介して装置内の各部と接続されている。
【００２３】
ＲＯＭ（Read-Only Memory）１０２は、記憶装置であって、リードオンリーメモリである。ＣＰＵ１０１がそれぞれ実行する音楽データデコード制御すなわちデコーダ１０４の制御、音楽バス制御部２２２による出力スピーカ切替制御、加速度センサ２３２の制御、加速度センサ２３２の判定に係るセンサ制御部２３１の制御等の各種制御プログラム及び音楽データ等が格納される。
【００２４】
ＲＡＭ（Random Access Memory）１０３は、記憶装置であって、ランダムアクセスメモリである。ＣＰＵ１０１が処理を行う上で一時的に必要とされる制御プログラム、データを展開する領域である。
【００２５】
デコーダ１０４は、ＭＰ３（MPEG Audio Layer-3）等の形式による音楽データのデコードを行う部分である。デコーダ１０４は、ＤＳＰ（Digital Signal Processor）等であって、音楽データをＰＣＭ（Pulse Code Modulation）等のデジタル信号にデコードする。この時、音楽データにＬチャンネル／Ｒチャンネルの区別があれば、それぞれのチャンネルに分けてデコードを行う装置である。
【００２６】
送受信部１０５は、移動体通信システムにおいて、基地局とのデータ送受信を行う回路である。音楽データ、音声データの送受信を実行する。
【００２７】
キー入力部２０１は、使用者から入力されたキー情報を受け取り、ＣＰＵ１０１に伝達する。方向入力装置、テンキー、音楽再生機能起動キー、メニュー起動キー等がある。
【００２８】
液晶表示部２１１は、ＬＣＤ（Liquid Crystal Display）である。携帯電話機の各種情報、ユーザーインターフェース及び音楽再生プレイヤー等を表示する。
【００２９】
センサ制御部２３１は、加速度センサの制御及び加速度センサが検出した結果の解析を実行する制御部である。
【００３０】
加速度センサ２３２は、重力を検出する２次元又は３次元の加速度センサである。加速度ベクトルの合計から地面に対する姿勢を測定する装置で、本発明では、重力方向の検出に用いる。
【００３１】
デジタルアナログ（Ｄ／Ａ）変換部２２１は、デコーダ１０４でＬチャンネル／Ｒチャンネルとしてデコードされたデジタル信号を、アナログ信号に変換する変換回路である。
【００３２】
音楽パス制御部２２２は、アナログ信号を出力するスピーカを設定する回路である。加速度センサの検出結果をセンサ制御部２３１が解析した結果から、から、アナログ信号に変換されたＬチャンネル／Ｒチャンネルの信号を、スピーカＡ２２３、スピーカＢ２２４スピーカのどちらから出力するかを切り替える回路である。
【００３３】
又、図６によって、本発明の第１の実施の形態に係る携帯電話機３０１の外観を説明する。図６によると、本発明の第１の実施の形態に係る携帯電話機３０１は、キー入力部３１４を下方向とした場合、液晶表示部３１２の上側にスピーカＡ３１１、下側にスピーカＢ３１３を配置している。
【００３４】
［第１の実施の形態の動作］
図５及び図６によって説明した本発明の第１の実施の形態に係る携帯電話機の動作を、図７のタイムフローチャートと本発明の第１の実施の形態に係る携帯電話機と重力方向との関係を示す図８とを使用して説明する。
【００３５】
まず、図７のフローチャートにおいて、ステップＳ７０１で、携帯電話機は待ち受け状態とする。この状態は、キー入力部２０１からの入力待ち、送受信部１０５からの着信待ち等、何らかのアクションを待つ状態である。
【００３６】
ステップＳ７０２では、音楽再生機能を起動するか否かでＹの場合、携帯電話機では音楽再生機能が起動する。音楽再生機能は、曲を選択し、再生させる機能である。
【００３７】
音楽再生機能を起動し、曲を再生する場合、ステップＳ７０３で加速度センサによる重力方向の検出を行う。ここでは、携帯電話機に対し、重力方向がどこにあるかを検出する。
【００３８】
ステップＳ７０４がＹ、つまり、重力方向が図８の８０１の方向だった場合、スピーカＡ（図８＿８１１）から、Ｒチャンネルを出力、スピーカＢ（図８＿８１２）から、Ｌチャンネルを出力する。
【００３９】
ステップＳ７０４がＮ、つまり、重力方向が図８の８０２の方向だった場合、スピーカＡ（図８＿８１１）から、Ｌチャンネルを出力、スピーカＢ（図８＿８１２）から、Ｒチャンネルを出力する。
【００４０】
ステップＳ７０４の判定は、ステップＳ７０７の演奏終了がされるまで行い、演奏中に方向が変わった場合も出力方向の切り替えを行う。
【００４１】
［第２の実施の形態］
基本的には上記の第１の実施の形態と同様であるが、スピーカの搭載方向は問わないものとする。
【００４２】
図９は本発明の第２の実施の形態に係る携帯電話機の外観の構成図である。この図９では、スピーカを液晶表示部の下部に左右に並べている。スピーカＡ９０１とスピーカＢ９０２は図９のように並んでいてもよい。
【００４３】
又、携帯電話機の背面に設置されているものでもよい。
【００４４】
［第３の実施の形態］
第３の実施の形態は、スピーカが３つ以上搭載されている場合である。この第３の実施の形態では、角度に応じて、それぞれから出力するチャンネルを変化させてもよい。その場合の角度は、スピーカの数に応じて細かく設定してもよい。
【００４５】
図１０及び図１１にスピーカが４つの例を示す。図１０は本発明の第３の実施の形態に係る携帯電話機の外観の構成図であり、図１１は第３の実施の形態に係る携帯電話機と重力方向との関係を示す図である。
【００４６】
図１０で、スピーカ１０００、スピーカ１００１、スピーカ１００２、スピーカ１００３を示す。
【００４７】
図１１で、重力方向が、１１００であった場合、１００１、１００３を出力停止、１０００から音楽データのＬチャンネル、１００２から音楽データのＲチャンネルを再生する。
【００４８】
図１１で、重力方向が、１１０１であった場合、１０００、１００３から音楽データのＬチャンネル、１０００、１００２から音楽データのＲチャンネルを再生する。
【００４９】
図１１で、重力方向が、１１０２であった場合、１０００、１００２を出力停止、１００３から音楽データのＬチャンネル、１００１から音楽データのＲチャンネルを再生する。
【００５０】
上記例のように、角度に応じて、細かく出力してもよい。この場合も同様に、角度によっても、適切な位置でスピーカ出力を聞くことができる。
【００５１】
なお、本発明は、装置のみならず方法及びプログラムの発明としても実施できる。
【産業上の利用可能性】
【００５２】
本発明はステレオ音声の再生機能を有する携帯電話機に利用することができる。
【符号の説明】
【００５３】
００１  携帯電話機
１０１  ＣＰＵ
１０２  ＲＯＭ
１０３  ＲＡＭ
１０４  デコーダ
１０５  送受信部
１１０  バス
２０１  キー入力部
２１１  液晶標示部
２２１  Ｄ／Ａ変換部
２２２  音楽バス制御部
２２３  スピーカＡ
２２４  スピーカＢ
２３１  センサ制御部
２３２  加速度センサ
３０１  携帯電話機
３１１  スピーカＡ
３１２  液晶標示部
３１３  スピーカＢ
３１４  キー入力部
８０１、８０２  重力方向
８１１  スピーカＡ
８１２  スピーカＢ
９０１  スピーカＡ
９０２  スピーカＢ
１０００、１００１、１００２、１００３  スピーカ
１１００、１１０１、１１０２  重力方向
【図１】
0005447795.tif 000002
【図２】
0005447795.tif 000003
【図３】
0005447795.tif 000004
【図４】
0005447795.tif 000005
【図５】
0005447795.tif 000006
【図６】
0005447795.tif 000007
【図７】
0005447795.tif 000008
【図８】
0005447795.tif 000009
【図９】
0005447795.tif 000010
【図１０】
0005447795.tif 000011
【図１１】
0005447795.tif 000012